(57)【要約】【課題】  クリーナー芯材の交換作業や清掃液の補充が容易かつ安全に行え、しかも、清掃液の補充後、即座に清掃液がクリーナー芯に浸透されて清掃することができる印字装置用クリーニングキットを提供すること。【解決手段】  クリーナー部材１０２とスプレー２の吐出部２ｃとの双方を、ケース本体１０１の先部であるクリーナー部材保持部１１ｂと係合するように形成し、キャップ１２にクリーナー部材１０２の中途部に設けた環状凹部１１ｅ（被掛止部）と係合する凸部１２ａ（掛止部）を設けて、ケース本体１０１に対してクリーナー部材１０２を交換可能に構成すると共に、クリーナー部材保持部１１ｂに吐出部２ｃを挿嵌させて清掃液Ｂが密閉状態で補充可能に構成する。【選択図】        図１
2005081746.tif 000002
【特許請求の範囲】
【請求項１】
清掃液が含浸される含浸体を内装したケース本体と前記ケース本体の先部と嵌脱可能に形成され中途部に被掛止部を設けたクリーナー部材とを備えて構成されたクリーナー本体と、
前記被係止部と係合可能な掛止部が設けられ前記クリーナー本体の先部を被装すると共に前記クリーナー本体から前記キャップを取り外し前記掛止部を前記被掛止部に掛止して前記クリーナー部材を嵌脱させるキャップと、
前記ケース本体の先部と嵌脱可能に形設されると共に前記清掃液が吐出される吐出部が設けられ前記清掃液が充填されたスプレーと、を備えてなり、
前記クリーナー部材は、前記ケース本体に対して交換可能に構成されていると共に、前記ケース本体の先部に前記吐出部を挿嵌させて前記清掃液が密閉状態で補充可能に構成されていることを特徴とする印字装置用クリーニングキット。
【請求項２】
前記クリーナー部材は、前記ケース内の前記清掃液が浸透され被清掃体に摺接させて清掃が実行されるクリーナー芯と、軸方向略中央の外周面に環状凹部が設けられ前記クリーナー芯の中途部に嵌着された筒状部材とを備えて構成され、
前記被掛止部は、前記環状凹部であると共に、前記掛止部は、前記キャップの上部外側面に凹設され前記環状凹部と係合可能な略半円状の凸部であることを特徴とする請求項１記載の印字装置用クリーニングキット。
【発明の詳細な説明】
【技術分野】
【０００１】
本発明は、ファクシミリ・複写機・プリンタ等の印字装置の印字部や、給紙・排紙ローラ等の汚れた部位を清掃するのに好適な印字装置用クリーニングキットに関する。
【背景技術】
【０００２】
ファクシミリ、複写機、プリンタ等の印字装置において、給紙された用紙へ印字を実行する印字部や、感光ドラム、給紙・排紙ローラ等の用紙と接触する部分は、用紙の紙粉やインクやトナーなどが付着するため、そのままにしておくと、印字済みの用紙が汚れたり、給紙・排紙のフィードミスを起こす原因となる。そのため、上記したこれらの部分に対して適宜清掃を行っている。なかでも、サーマルヘッドを備えたサーマルプリンタは、インクリボンや用紙などが直接接触する印字ヘッド部の汚れが顕著である。
【０００３】
旧来、これらの部分を清掃する際は、清掃液を含浸させた布や綿棒を用いて清掃を行っていたが、とりわけ、構造細部を清掃する際は、安価な綿棒による清掃が便利である。
しかしながら、この綿棒は、印字装置の清掃用として特別な部材で構成されたものではなく、家庭等で使用される一般的なものであるため、把持しづらかったり、被清掃面に押圧させると簡単に折れ曲がったりと、清掃の効率が悪い。そこで、ペンタイプの清掃具がいくつか提案されている。
【０００４】
たとえば、中空シャフトの内部に溶剤や洗剤を含浸させた線状のクリーニング部材を収納すると共にシャフト先端から引き出し得るようにして、クリーニング部材が汚れたら切り取って引き出すことで、安価で利便性を向上させた、とするクリーニングペンがある（例えば特許文献１参照）。
【０００５】
また、分割構造のケース本体と、ケース本体に取り付けた回転操作部と、回転操作部から前方に向けて延びるスクリュー部と、スクリュー部に螺合して回転操作部の回動に従って前後動する取付基部と、取付基部に脱着可能でケース本体前端の開孔部から出し入れ自在なクリーナー芯材とで構成し、綿棒の経済性と従来のペンクリーナーの利便性とを兼ね備えた、としたペンクリーナーがある（例えば特許文献２参照）。
【０００６】
上記したこれら従来のペンクリーナーは、ケース本体内にクリーナー芯材（クリーナー部材）を装填しておき、先端部分の汚れに応じて引き出すもので、ペンタイプのクリーナーの利便性を向上させた、としている。
【０００７】
【特許文献１】実開昭６０−１４７３６２号公報（第２頁、図１）
【特許文献２】特開平１１−１３７５０５号公報（第２頁、図２）
【発明の開示】
【発明が解決しようとする課題】
【０００８】
しかしながら、特許文献１のペンクリーナーは、清掃液が乾燥してしまったら、クリーナー部材と反対方向であるペンクリーナー後部から注入させるとしているため、クリーナー部材に清掃液が廻ってくるまで時間がかかり応答性が悪い。また、特許文献２のペンクリーナーは、たとえば、溶剤や洗剤を含浸させたクリーナー芯材を使い切ってしまうと、ペンクリーナーを分解して装填させる構成のため、クリーナー芯材の交換作業が面倒である。
【０００９】
ところで、上記した部分の清掃を行う際に用いられる清掃液は、イソプロピルアルコールやヘキサン等の油脂や有機化合物を溶解する揮発性の溶剤を主成分としたものが一般的である。
【００１０】
この揮発性の清掃液は、粘膜、目、皮膚等に大量に付着すると、脱水、脱脂して炎症を起こしたり、誤って大量に吸い込んでしまうと、気道、肺などに炎症を起こす可能性があるため、清掃する際は十分な換気を行ったり、溶剤が皮膚などに付着しないように、十分な注意を払う必要がある。
【００１１】
しかしながら、上記した従来のペンクリーナーは、その点は特に考慮されておらず、クリーナー芯材を引き出す際や、ペンクリーナー後部から清掃液を補充させる際に、皮膚に直接触れてしまうことが容易に考えられ、けっして好ましいことではない。
【００１２】
そこで本発明は、クリーナー芯材の交換作業や清掃液の補充が容易かつ安全に行え、しかも、清掃液の補充後、即座に清掃液がクリーナー芯に浸透されて清掃することができる印字装置用クリーニングキットを提供することを目的とする。
【課題を解決するための手段】
【００１３】
上記課題を解決するために本発明にかかる印字装置用クリーニングキットは、下記の技術的手段を講じた。
すなわち、請求項１にかかる印字装置用クリーニングキットは、清掃液が含浸される含浸体を内装したケース本体と前記ケース本体の先部と嵌脱可能に形成され中途部に被掛止部を設けたクリーナー部材とを備えて構成されたクリーナー本体と、前記被係止部と係合可能な掛止部が設けられ前記クリーナー本体の先部を被装すると共に前記クリーナー本体から前記キャップを取り外し前記掛止部を前記被掛止部に掛止して前記クリーナー部材を嵌脱させるキャップと、前記ケース本体の先部と嵌脱可能に形設されると共に前記清掃液が吐出される吐出部が設けられ前記清掃液が充填されたスプレーと、を備えてなり、
前記クリーナー部材は、前記ケース本体に対して交換可能に構成されていると共に、前記ケース本体の先部に前記吐出部を挿嵌させて前記清掃液が密閉状態で補充可能に構成されていることを特徴とする。
請求項２にかかる印字装置用クリーニングキットは、請求項１において、前記クリーナー部材は、前記ケース内の前記清掃液が浸透され被清掃体に摺接させて清掃が実行されるクリーナー芯と、軸方向略中央の外周面に環状凹部が設けられ前記クリーナー芯の中途部に嵌着された筒状部材とを備えて構成され、前記被掛止部は、前記環状凹部であると共に、前記掛止部は、前記キャップの上部外側面に凹設され前記環状凹部と係合可能な略半円状の凸部であることを特徴とする。
【発明の効果】
【００１４】
本発明によれば、クリーナー部材とスプレーの吐出部との双方を、ケース本体の先部と係合するように形成し、キャップにクリーナー部材の中途部に設けた被掛止部と係合する掛止部を設けて構成したから、ケース本体に対してクリーナー部材の交換や清掃液の補充が、清掃液に直接触れることなく容易にできる。
【００１５】
特に、清掃液の補充を、ケース本体の先部に吐出部を挿嵌させて密閉状態で行うため、外部に清掃液が漏れたり、飛散（揮発を含む）することがなく、極めて安全性に配慮した印字装置用クリーニングキットが提供できる。
【００１６】
また、クリーナー部材側から清掃液を補充することによって、クリーナー後部から注入させた場合に比べ、クリーナー部材に清掃液が浸透してくるまで時間が短いため、清掃液補充後、即座に清掃を行うことができる。
【発明を実施するための最良の形態】
【００１７】
次に、本発明の実施の形態を添付図面を用いて説明をする。図中、符号１はクリーナーを、符号２はスプレーを夫々示す。
本実施の形態にかかる印字装置用クリーニングキットは、図１に示すように、クリーナー１と、スプレー２とを備えてなる。
【００１８】
クリーナー１は、クリーナー本体１１とキャップ１２とを備えてなる。
クリーナー本体１１は、ケース本体１０１と、クリーナー部材１０２とを備えてなる。
ケース本体１０１は、中空軸状の把持部１１ａと、その把持部１１ａと連続形成され縮径した筒状のクリーナー部材保持部１１ｂとを備えて構成され、イソプロピルアルコールやヘキサン等の油脂や有機化合物を溶解する揮発性の溶剤を主成分とした清掃液Ｂが含浸される含浸体１０３が内装されている。
【００１９】
クリーナー部材１０２は、クリーナー芯１０４と筒状部材１０５とを備えてなる。
クリーナー芯１０４は、清掃液Ｂが容易に浸透可能で、かつ、サーマルプリンタの印字ヘッド部等の被清掃面に適したフェルト等の部材で先端が斜めにカットされた軸状に形成されている。
【００２０】
筒状部材１０５は、クリーナー部材保持部１１ｂの孔１１ｆと嵌脱可能な所要の径からなる小径部１１ｃと、その小径部１１ｃの先に略フランジ状に形成された大径部１１ｄとからなり、斜めにカットされた先端側にこの大径部１１ｄが位置するように前記したクリーナー芯１０４の中途部と嵌合されている。
この大径部１１ｄには、その中間部に環状凹部１１ｅが形成されており、後述する掛止部と係合関係の被掛止部になっている。
【００２１】
このように構成されたクリーナー本体１１は、クリーナー部材保持部１１ｂの孔１１ｆにクリーナー部材１０２が、ケース本体１０１の先端面と大径部１１ｄの小径部１１ｃ側側面とが接して掛止されるまで挿嵌されると共に、清掃液Ｂが含浸された含浸体１０３にクリーナー芯１０４の基部が埋設するように接触してクリーナー芯１０４の先端に清掃液Ｂが浸透されるようになっている。
【００２２】
キャップ１２は、図１及び図２に示すように、クリーナー本体１１の先部を被装可能に上面が閉じた略筒状に形成されると共に、この上面の一部が突出するように張出し形成されている。また、この張出した上面から小径部１１ｃの溝幅より若干幅広となる所要の厚みで小径部１１ｃと係合する略半円状の凸部１２ａ（掛止部）が凹設されると共に、その凸部１２ａと連続形成されクリーナー芯１０４と干渉しないように大径部１１ｄより若干幅広となる曲率でもって略半円状の凹湾曲面１２ｂが凹設されている。
【００２３】
このキャップ１２に形成された凸部１２ａと直交する両側の外側面には、把持しやすいようにセレーション１２ｃが形成されると共に、キャップ１２内には、クリーナー本体１１の先部を中心へ案内する傾斜面が形成されたインナー部材１２ｄが内装されており、クリーナー本体１１の先部とキャップ１２との嵌合を容易ならしめている。
【００２４】
スプレー２は、イソプロピルアルコールやヘキサン等の油脂や有機化合物を溶解する揮発性の溶剤を主成分とした清掃液Ｂが充填されたタンク部２ａと、このタンク部２ａの上部と螺合したキャップ部２ｂとを備えて構成され、このキャップ部２ｂの上部には、その上部をポンピングすることでタンク部２ａ内の清掃液Ｂが外部へ霧状となって噴射される軸状の吐出部２ｃが突出形成されている。
【００２５】
この吐出部２ｃの先部は、クリーナー部材保持部１１ｂの孔１１ｆと嵌脱可能な所要の径からなっており、クリーナー部材保持部１１ｂの孔１１ｆに吐出部２ｃを挿嵌させて密閉状態を維持させたまま清掃液Ｂの補充ができるようになっている。
【００２６】
次に、以上のように構成された本実施の形態にかかる印字装置用クリーニングキットにおける、クリーナー部材１０２の脱着と、クリーナー本体１１への清掃液Ｂの補充について、図３及び図４を参照しながら説明する。
【００２７】
まず、クリーナー本体１１からキャップ１２を引き抜き、キャップ１２を反転する（図３（１）参照）。次いで、キャップ１２の凸部１２ａ（掛止部）と筒状部材１０５の環状凹部１１ｅ（被掛止部）とを係合し（図３（２）参照）、その状態のまま上方へ引き抜いてクリーナー部材１０２をケース本体１０１から取り外す（図３（３）参照）。
【００２８】
クリーナー部材１０２をケース本体１０１へ取り付ける場合は、上記の手順の逆の手順を行うことにより、クリーナー部材１０２をケース本体１０１へ取り付けることができる。この一連の作業は、クリーナー部材１０２の交換やケース本体１０１への清掃液Ｂの注入（補充）の際に行われる。
【００２９】
この上記した清掃液Ｂの注入は、図４に示すように、スプレー２の吐出部２ｃの先部をクリーナー部材保持部１１ｂの孔１１ｆに挿嵌し、キャップ部２ｂの上部をポンピングしてケース本体１０１内の含浸体１０３へ清掃液Ｂを噴霧し補充する。
【００３０】
このようにクリーナー部材１０２側から清掃液Ｂを補充することによって、清掃液Ｂ補充後、例えば、図５に示したような、サーマルヘッドを備えたサーマルプリンタＰの印字ヘッド部Ｈ等の細かな被清掃面の清掃を即座に行うことができ、ヘッド部Ｈ以外の大きな被清掃面部分の清掃は、スプレー２を直接噴霧し布体でふき取る。
【００３１】
以上、説明したように、本実施の形態にかかる印字装置用クリーニングキットは、ケース本体１０１に対してクリーナー部材１０２の交換時に清掃液に直接触れることなく容易にできると共に、ケース本体１０１への清掃液Ｂの補充の際は、ケース本体の先部であるクリーナー部材保持部１１ｂに吐出部２ｃを挿嵌させて密閉状態で行うため、外部に清掃液Ｂが漏れたり、飛散（揮発を含む）することがなく、極めて安全性に配慮された極めて好適なものになっている。
【００３２】
なお、上述した実施形態は、本発明の好適な実施形態の一例を示すものであり、本発明はそれに限定されるものではなく、その要旨を逸脱しない範囲内において、種々変形実施が可能である。
【図面の簡単な説明】
【００３３】
【図１】本実施の形態にかかる印字装置用クリーニングキットを示し、  （１）クリーナーの一部切欠した正面図である。  （２）スプレーの側面図である。
【図２】図１（１）のＡ−Ａ拡大断面図である。
【図３】クリーナー部材の脱着状態の手順を示し、  （１）キャップを取り外し反転した状態を示した説明図である。  （２）凸部と環状凹部の係合状態を示した説明図である。  （３）クリーナー部材をケース本体から取り外した状態を示した説明図である。
【図４】ケース本体への清掃液の注入（補充）する状態を示した説明図である。
【図５】サーマルプリンタの清掃状態を示した説明図である。
【符号の説明】
【００３４】
１  クリーナー
１１  クリーナー本体
１０１  ケース本体
１０２  クリーナー部材
１０３  含浸体
１０４  クリーナー芯
１０５  筒状部材
１１ｂ  クリーナー部材保持部（ケース本体の先部）
１１ｃ  小径部
１１ｄ  大径部
１１ｅ  環状凹部（被掛止部）
１２  キャップ
１２ａ  凸部（掛止部）
２  スプレー
２ｃ  吐出部
Ｂ  清掃液
【図１】
2005081746.tif 000003
【図２】
2005081746.tif 000004
【図３】
2005081746.tif 000005
【図４】
2005081746.tif 000006
【図５】
2005081746.tif 000007